(57)【要約】【課題】フロンガス類等のハロゲン化合物を分解処理した際に発生する酸性ガスやゴミ焼却炉から排出される酸性ガス等の各種酸性ガスを中和して無害化するための酸性ガスの中和処理方法及びその装置を提供することを目的とする。【解決手段】中和塔１１内に、炭酸カルシウム、酸化カルシウム又は酸化カルシウムと炭酸カルシウムの混合物からなる中和剤１２を充填し、該中和塔１１内を中和剤１２と接触するように酸性ガスを通過させることによって、酸性ガスを中和処理する酸性ガスの中和処理方法と、中和剤１２を充填してなる中和塔１１と、該中和塔１１に酸性ガスを供給する手段と、酸性ガスを中和剤１２に接触させて排出する手段を有する酸性ガスの中和処理装置を基本として提供する。【選択図】図１
2010179223.tif 000002
【特許請求の範囲】
【請求項１】
酸性ガスを炭酸カルシウムと所定時間接触するように通過させることにより、中和処理することを特徴とする酸性ガスの中和処理方法。
【請求項２】
中和塔内に炭酸カルシウムを充填し、該中和塔内を炭酸カルシウムと接触するように酸性ガスを通過させることによって、酸性ガスを中和処理することを特徴とする酸性ガスの中和処理方法。
【請求項３】
中和塔内に一定量の炭酸カルシウムを充填し、該中和塔内に充填された炭酸カルシウムと接触するように一定量の酸性ガスを中和塔内に供給して通過させることによって、酸性ガスを中和処理するとともに、中和処理後の中和塔から表面に中和生成物が生成された炭酸カルシウムを排出し、これを循環させ、循環途中において表面露出させることによって中和生成物を除去して、再び炭酸カルシウムとして中和塔内に供給し、酸性ガスを中和処理することを特徴とする酸性ガスの中和処理方法。
【請求項４】
中和塔内に炭酸カルシウムを連続的に供給して一定量を充填し、該中和塔内に供給された炭酸カルシウムと接触するように一定量の酸性ガスを連続して中和塔内に供給して通過させることによって、酸性ガスを中和処理するとともに、中和処理後の中和塔から表面に中和生成物が生成された炭酸カルシウムを順次連続して排出し、これを循環させ、循環途中において表面露出させることによって中和生成物を除去して、再び炭酸カルシウムとして中和塔内に連続的に供給し、酸性ガスを連続して中和処理することを特徴とする酸性ガスの中和処理方法。
【請求項５】
中和塔内に一定量の炭酸カルシウムを充填し、該中和塔内に充填された炭酸カルシウムと接触するように一定量の酸性ガスを中和塔内に供給して通過させることによって、酸性ガスを中和処理するとともに、中和処理後の中和塔を、新たに一定量の炭酸カルシウムを充填した中和塔と交換した後、新たな中和塔内に充填された炭酸カルシウムと接触するように一定量の酸性ガスを新たな中和塔内に供給して通過させることによって、酸性ガスを中和処理することを特徴とする酸性ガスの中和処理方法。
【請求項６】
中和塔内に冷却空気を供給して中和熱を軽減する請求項２，３，４又は５記載の酸性ガスの中和処理方法。
【請求項７】
中和塔に充填する炭酸カルシウムを所定の塊状として、酸性ガスが通過可能とした請求項２，３，４，５又は６記載の酸性ガスの中和処理方法。
【請求項８】
中和塔に充填する炭酸カルシウムを直径１０ｍｍ〜３０ｍｍ程度の粒状とした請求項２，３，４，５又は６記載の酸性ガスの中和処理方法。
【請求項９】
炭酸カルシウムに代えて、酸化カルシウム又は酸化カルシウムと炭酸カルシウムの混合物を使用する請求項１，２，３，４，５，６，７又は８記載の酸性ガスの中和処理方法。
【請求項１０】
炭酸カルシウムに代えて、所定の塊状又は直径１０ｍｍ〜３０ｍｍ程度の粒状とした水酸化カルシウムを使用する請求項１，２，３，４，５又は６記載の酸性ガスの中和処理方法。
【請求項１１】
酸性ガスが、ＣＦＣ，ＨＣＦＣ，ＨＦＣ，ＰＦＣ，ＳＦ６等の有機ハロゲン化合物を分解した際に発生する酸性ガスである請求項１，２，３，４，５，６，７，８，９又は１０記載の酸性ガスの中和処理方法。
【請求項１２】
酸性ガスが、ゴミ焼却炉から排出される酸性ガスである請求項１，２，３，４，５，６，７，８，９又は１０記載の酸性ガスの中和処理方法。
【請求項１３】
炭酸カルシウムを充填してなる中和塔と、該中和塔に酸性ガスを供給する手段と、酸性ガスを炭酸カルシウムに接触させて排出する手段を有することを特徴とする酸性ガスの中和処理装置。
【請求項１４】
中和剤としての炭酸カルシウムを貯留する中和剤タンクと、該中和剤タンク内の炭酸カルシウムを連続的又は間欠的に中和塔に供給する中和剤供給手段と、炭酸カルシウムを充填する中和塔と、該中和塔に酸性ガスを供給する酸性ガス供給手段と、酸性ガスを炭酸カルシウムに接触させて排出する酸性ガス排出手段と、中和塔から表面に中和生成物が生成された炭酸カルシウムを連続的又は間欠的に排出する中和剤排出手段とからなることを特徴とする酸性ガスの中和処理装置。
【請求項１５】
中和生成物が生成されて中和塔から排出された炭酸カルシウムを循環させ、循環途中において表面露出させることによって中和生成物を除去して、再び中和剤タンクに供給して貯留する請求項１４記載の酸性ガスの中和処理装置。
【請求項１６】
中和塔に中和熱を低減させるための冷却空気を供給する冷却空気供給手段を有する請求項１３，１４又は１５記載の酸性ガスの中和処理装置。
【請求項１７】
中和生成物が生成されて中和塔から排出された炭酸カルシウムを貯留する中和残渣タンクを有する請求項１３，１４，１５又は１６記載の酸性ガスの中和処理装置。
【請求項１８】
中和剤としての炭酸カルシウムを充填した中和塔と、該中和塔に酸性ガスを供給する酸性ガス供給手段と、酸性ガスを炭酸カルシウムに接触させて排出する酸性ガス排出手段とからなり、中和塔を交換可能としたことを特徴とする酸性ガスの中和処理装置。
【請求項１９】
中和剤としての炭酸カルシウムを充填した中和塔と、該中和塔に酸性ガスを供給する酸性ガス供給手段と、酸性ガスを炭酸カルシウムに接触させて排出する酸性ガス排出手段とからなり、中和処理の終了した中和塔を新たな炭酸カルシウムが充填された中和塔と交換可能としたことを特徴とする酸性ガスの中和処理装置。
【請求項２０】
過熱蒸気を使用してＣＦＣ，ＨＣＦＣ，ＨＦＣ，ＰＦＣ，ＳＦ６等の有機ハロゲン化合物を分解する反応器から排出された酸性ガスを、酸性ガス供給手段を介して、中和塔に供給する請求項１３，１４，１５，１６，１７，１８又は１９記載の酸性ガスの中和処理装置。
【請求項２１】
中和塔に充填する中和剤としての炭酸カルシウムを所定の塊状として、酸性ガスが通過可能とした請求項１３，１４，１５，１６，１７，１８，１９又は２０記載の酸性ガスの中和処理装置。
【請求項２２】
中和剤としての炭酸カルシウムを直径１０ｍｍ〜３０ｍｍ程度の粒状とした請求項１３，１４，１５，１６，１７，１８，１９，２０又は２１記載の酸性ガスの中和処理装置。
【請求項２３】
炭酸カルシウムに代えて、酸化カルシウム又は酸化カルシウムと炭酸カルシウムの混合物を使用する請求項１３，１４，１５，１６，１７，１８，１９，２０，２１又は２２記載の酸性ガスの中和処理装置。
【請求項２４】
炭酸カルシウムに代えて、所定の塊状又は直径１０ｍｍ〜３０ｍｍ程度の粒状とした水酸化カルシウムを使用する請求項１３，１４，１５，１６，１７，１８，１９又は２０記載の酸性ガスの中和処理装置。
【発明の詳細な説明】
【技術分野】
【０００１】
本発明はフロンガス類等のハロゲン化合物を分解処理した際に発生する酸性ガスやゴミ焼却炉から排出される酸性ガス等の各種酸性ガスを中和して無害化するための酸性ガスの中和処理方法及びその装置に関するものである。
【背景技術】
【０００２】
クロロフルオロカーボン（ＣＦＣ）、ハイドロクロロフルオロカーボン（ＨＣＦＣ）やハイドロフルオロカーボン（ＨＦＣ）等のフロンガス類は環境汚染物質であるため、地球環境保護の観点等からフロン回収・破壊法による規制や使用削減が求められている。そのため、フロンガス類については各種の分解処理方法が提供されており、出願人も効果的な分解処理方法として各種の過熱蒸気反応法を提供している（特許文献１，特許文献２）。
【０００３】
これらの過熱蒸気反応法によれば、過熱蒸気を利用してフロンガス類を常圧で効果的に分解処理することができるが、分解処理によってＨＣｌやＨＦが含まれた酸性ガスが発生するため、この酸性ガスを無害化するために中和処理をすることが必要となる。従来は、酸性ガスに水酸化カルシウム（ＣａＨ２Ｏ２）の混合溶液をシャワーリングして、中和する手段が知られている。その中和反応は次の通りである。
Ｃａ(ＯＨ)２＋２ＨＣｌ → ＣａＣｌ２＋２Ｈ２Ｏ
Ｃａ(ＯＨ)２＋２ＨＦ → ＣａＦ２＋２Ｈ２Ｏ
【０００４】
図３は従来の水酸化カルシウムの混合溶液を使用した中和処理方法を概略的に示すシステム図であり、フロンガス類を過熱蒸気を利用して分解すること等によって生成された酸性ガス４１を配管４２を介して第１の洗浄塔４３に供給し、更に配管４４を介して第２の洗浄塔４５に供給する。第１の洗浄塔４３及び第２の洗浄塔４５は、所定濃度の水酸化カルシウムの混合溶液からなる中和液４６を貯留した中和タンク４７に浸漬されている。中和タンク４７内の中和液４６は中和液移送ポンプ４８を使用して配管４９を介して第１の洗浄塔４３及び第２の洗浄塔４５の上方からシャワーリングされて、第１の洗浄塔４３及び第２の洗浄塔４５を通過して再び中和タンク４７に戻り、この作業を循環してして行う。そして、第１の洗浄塔４３及び第２の洗浄塔４５内において、中和液４６が酸性ガス４１と接触することによって酸性ガス４１が中和されて無害化される。
【０００５】
なお、中和液４６は酸性ガス４１と接触することによって温度が上昇するため、配管４９の途中において、冷却塔５０を通過させて冷却水によって冷却することにより所定温度を保つようにしている。５１は冷却塔５０への冷却水の供給管、５２は冷却塔５０からの冷却水の排出管である。このようにして酸性ガス４１は中和されて無害化された後、第２の洗浄塔４５からブロワ５３に吸引されて配管５４を介して大気に放出される。なお、図示例では第１の洗浄塔４３と第２の洗浄塔４５の２つの洗浄塔を使用したが、フューエルセーフの観点から第３の洗浄塔を使用する等、洗浄塔の個数は任意に設定することができる。
【０００６】
中和タンク４７内の中和液４６は第１の洗浄塔４３及び第２の洗浄塔４５へのシャワーリングを繰り返して酸性ガス４１と接触して中和処理を繰り返すことによって、塩化カルシウム（ＣａＣｌ２）やフッ化カルシウム（ＣａＦ２）を生成し、スラリー状となって徐々に酸性ガス４１の中和能力を失ってゆく。そのため、中和タンク４７内のｐＨをｐＨ計（図示略）で測定し、ｐＨ７付近を示すと中和液４６全体を交換し、新たな水酸化カルシウムの混合溶液からなる中和液４６を満たして使用する。
【０００７】
使用済みの中和液４６はスラリー状となっているため、中和タンク４７からスラリー移送ポンプ５５を使用して配管５６を介して凝集タンク５７に排出する。そして、凝集タンク５７内に適宜の凝集剤５８を添加して混合することによってスラリー状の使用済みの中和液４６を所定サイズのフロックを形成するように凝集させる。次に凝集タンク５７から残渣移送ポンプ５９を使用して配管６０を介して脱水機６１に供給して所定の含水率まで脱水し、脱水残渣６２と脱水液６３に分離し、脱水残渣６２を産業廃棄物として処理するとともに脱水液６３を廃棄する。
【０００８】
また、日常生活や社会生活、各種工場の生産活動に伴って排出される各種ゴミの最終処理や減容化のために焼却炉を使用して焼却する手段が一般的に行われている。かかるごみの焼却は、衛生上は優れた処理方法であるが、ごみを焼却する過程で酸性ガスやダイオキシン類など環境汚染の原因となる物質も生成されることとなる。よって、ゴミ焼却によって発生する酸性ガスについても無害化のための処理が要求されている。従来は焼却炉から排出される酸性ガスに水酸化カルシウムを散布する手段（乾式法）、水酸化カルシウムの混合溶液をシャワーリングする手段（湿式法）、水酸化カルシウムと吸水性高分子粒子をスラリー状として酸性ガスと接触させるとともにスラリー中の水分を酸性ガスの熱によって揮発させる手段（半乾式法）が提供されている（特許文献３）。
【先行技術文献】
【特許文献】
【０００９】
【特許文献１】特許第３６０７６２４号
【特許文献２】特許第３６６９８８１号
【特許文献３】特開平９−１９２４４９号
【発明の概要】
【発明が解決しようとする課題】
【００１０】
図３に示すような粉体の水酸化カルシウムを水と混合した従来の水酸化カルシウムの混合溶液を中和液として使用する中和方法は、水酸化カルシウムを１０〜１５重量％混合した混合溶液を製作する必要があり、中和液として循環させるための設備を必要とする。そのため、混合溶液の循環ポンプの故障、配管詰まりが発生しやすい。また、使用後の中和液に凝集剤を添加して凝集させ、その後に固液分離のために脱水する設備や排水設備を必要とするため、中和装置が大きく複雑となる。更に、脱水後の残渣も５０％程度の含水率があるため、処理量が多くなり、再利用もできない。更に、この処理はバッチ処理となり、連続して処理することができない。また、水酸化カルシウムの混合溶液は専ら中和のためのみに使用されるものである。
【００１１】
そして、水酸化カルシウム（ＣａＨ２Ｏ２）が酸性ガス中の二酸化炭素（ＣＯ２）と反応して炭酸カルシウム（ＣａＣＯ３）を生成するため、その分だけ相対的に酸の処理量が減少してしまうため、使用効率が悪く７０％程度しか利用できない。更に水酸化カルシウム（ＣａＨ２Ｏ２）は粉体であるため、中和タンクに投入する際に粉体が飛散する等の二次災害を生じる。
【００１２】
そこで、発明者らは従来の水酸化カルシウムの混合溶液や粉体を使用した中和方法に代えて、より簡便な方法でコンパクトに各種の酸性ガスを連続的に中和して無害化するための酸性ガスの中和処理方法及びその装置を提供することを目的としている。
【課題を解決するための手段】
【００１３】
本発明はその目的を達成するために、酸性ガスを炭酸カルシウムと所定時間接触するように通過させることにより、中和処理する中和処理方法、及び中和塔内に炭酸カルシウムを充填し、該中和塔内を炭酸カルシウムと接触するように酸性ガスを通過させることによって、酸性ガスを中和処理する酸性ガスの中和処理方法を基本として提供する。
【００１４】
そして、中和塔内に一定量の炭酸カルシウムを充填し、該中和塔内に充填された炭酸カルシウムと接触するように一定量の酸性ガスを中和塔内に供給して通過させることによって、酸性ガスを中和処理するとともに、中和処理後の中和塔から表面に中和生成物が生成された炭酸カルシウムを排出し、これを循環させ、循環途中において表面露出させることによって中和生成物を除去して、再び炭酸カルシウムとして中和塔内に供給し、酸性ガスを中和処理する方法を提供する。
【００１５】
また、中和塔内に炭酸カルシウムを連続的に供給して一定量を充填し、該中和塔内に供給された炭酸カルシウムと接触するように一定量の酸性ガスを連続して中和塔内に供給して通過させることによって、酸性ガスを中和処理するとともに、中和処理後の中和塔から表面に中和生成物が生成された炭酸カルシウムを順次連続して排出し、これを循環させ、循環途中において表面露出させることによって中和生成物を除去して、再び炭酸カルシウムとして中和塔内に連続的に供給し、酸性ガスを連続して中和処理する方法を提供する。
【００１６】
更に、中和塔内に一定量の炭酸カルシウムを充填し、該中和塔内に充填された炭酸カルシウムと接触するように一定量の酸性ガスを中和塔内に供給して通過させることによって、酸性ガスを中和処理するとともに、中和処理後の中和塔を、新たに一定量の炭酸カルシウムを充填した中和塔と交換した後、新たな中和塔内に充填された炭酸カルシウムと接触するように一定量の酸性ガスを新たな中和塔内に供給して通過させることによって、酸性ガスを中和処理する方法を提供する。
【００１７】
そして、中和塔内に冷却空気を供給して中和熱を軽減し、中和塔に充填する炭酸カルシウムを所定の塊状として、酸性ガスが通過可能とし、炭酸カルシウムを直径１０ｍｍ〜３０ｍｍ程度の粒状とする。また、炭酸カルシウムに代えて、酸化カルシウム又は酸化カルシウムと炭酸カルシウムの混合物を使用し、或いは炭酸カルシウムに代えて、所定の塊状又は直径１０ｍｍ〜３０ｍｍ程度の粒状とした水酸化カルシウムを使用し、酸性ガスが、ＣＦＣ，ＨＣＦＣ，ＨＦＣ，ＰＦＣ，ＳＦ６等の有機ハロゲン化合物を分解した際に発生する酸性ガス、或いはゴミ焼却炉から排出される酸性ガスである。
【００１８】
そして、酸性ガスの中和処理装置として、炭酸カルシウムを充填してなる中和塔と、該中和塔に酸性ガスを供給する手段と、酸性ガスを炭酸カルシウムに接触させて排出する手段を有する酸性ガスの中和処理装置、及び中和剤としての炭酸カルシウムを貯留する中和剤タンクと、該中和剤タンク内の炭酸カルシウムを連続的又は間欠的に中和塔に供給する中和剤供給手段と、炭酸カルシウムを充填する中和塔と、該中和塔に酸性ガスを供給する酸性ガス供給手段と、酸性ガスを炭酸カルシウムに接触させて排出する酸性ガス排出手段と、中和塔から表面に中和生成物が生成された炭酸カルシウムを連続的又は間欠的に排出する中和剤排出手段とからなる酸性ガスの中和処理装置を基本として提供する。
【００１９】
そして、中和生成物が生成されて中和塔から排出された炭酸カルシウムを循環させ、循環途中において表面露出させることによって中和生成物を除去して、再び中和剤タンクに供給して貯留する構成、中和塔に中和熱を低減させるための冷却空気を供給する冷却空気供給手段を有する構成、中和生成物が生成されて中和塔から排出された炭酸カルシウムを貯留する中和残渣タンクを有する構成を提供する。
【００２０】
更に、中和剤としての炭酸カルシウムを充填した中和塔と、該中和塔に酸性ガスを供給する酸性ガス供給手段と、酸性ガスを炭酸カルシウムに接触させて排出する酸性ガス排出手段とからなり、中和塔を交換可能とした酸性ガスの中和処理装置、及び中和剤としての炭酸カルシウムを充填した中和塔と、該中和塔に酸性ガスを供給する酸性ガス供給手段と、酸性ガスを炭酸カルシウムに接触させて排出する酸性ガス排出手段とからなり、中和処理の終了した中和塔を新たな炭酸カルシウムが充填された中和塔と交換可能とした酸性ガスの中和処理装置を提供する。
【００２１】
また、過熱蒸気を使用してＣＦＣ，ＨＣＦＣ，ＨＦＣ，ＰＦＣ，ＳＦ６等の有機ハロゲン化合物を分解する反応器から排出された酸性ガスを、酸性ガス供給手段を介して、中和塔に供給する構成、中和塔に充填する中和剤としての炭酸カルシウムを所定の塊状として、酸性ガスが通過可能とした構成、中和剤としての炭酸カルシウムを直径１０ｍｍ〜３０ｍｍ程度の粒状とした構成、炭酸カルシウムに代えて、酸化カルシウム又は酸化カルシウムと炭酸カルシウムの混合物を使用し、或いは炭酸カルシウムに代えて、所定の塊状又は直径１０ｍｍ〜３０ｍｍ程度の粒状とした水酸化カルシウムを使用する構成を提供する。
【発明の効果】
【００２２】
以上記載した本発明によれば、従来の水酸化カルシウムの混合溶液をシャワーリングしたり、水酸化カルシウムの粉体を酸性ガスに散布する手段に比べて、酸性ガスを炭酸カルシウムや酸化カルシウムからなる塊状、或いは粒状の中和剤、更には所定の塊状又は直径１０ｍｍ〜３０ｍｍ程度の粒状とした水酸化カルシウムからなる中和剤を充填した中和塔内を通過させるだけでよいため、飛散することがなく取り扱いが簡便、かつ、コンパクトに各種の酸性ガスを連続的に、或いはバッチ処理によって中和して無害化することができる。そして、炭酸カルシウムや酸化カルシウムからなる中和剤は酸性ガスの補足率が高く、中和剤としての性能が高い。しかも従来の水酸化カルシウムの混合溶液のように、中和後の残渣がスラリー状となることもなく、脱水処理等が不要で、廃棄が容易である。更に、路盤材等の建設副資材としての再利用も可能である。
【００２３】
特に、中和塔内に冷却空気を供給することにより、中和塔内の温度を概ね４００℃〜５００℃に保つことができ、塩化水素を含む酸性ガスを中和することによって生成される塩化カルシウムが７７０℃付近の温度で溶解し液体となることを防ぐことができる。そのため、液化した塩化カルシウムが中和剤の周囲を被覆し、中和剤の排出等を阻害することを未然に防いで、中和剤の排出をスムーズに行うことができる。更に中和剤を循環させて使用することにより、循環途中において中和剤の表面を露出させることによって中和生成物を除去して、中和剤を再生して繰り返して使用することができる。
【００２４】
そして、炭酸カルシウムや酸化カルシウムからなる中和剤は中和剤タンクから中和塔内に連続的に又間欠的に投入するだけでよく、取り扱いが簡単である。また、中和塔をカートリッジとして構成することも可能であり、中和剤に触れることなく、中和塔を交換するだけでよい。更に、炭酸カルシウムや酸化カルシウムからなる中和剤は酸としか反応しないため、処理量が安定しており、又仮に酸性ガスの中にフロンガス等の未分解の有機ガスが存在していたとしても中和塔内で炭酸カルシウムや酸化カルシウムからなる中和剤、或いは所定の塊状又は直径１０ｍｍ〜３０ｍｍ程度の粒状とした水酸化カルシウムからなる中和剤と接触することによって分解されるため、安全で信頼性が高い。
【図面の簡単な説明】
【００２５】
【図１】本発明の第１実施形態を概略的に示すシステム図。
【図２】本発明の第２実施形態を概略的に示すシステム図。
【図３】従来の中和処理方法を概略的に示すシステム図。
【発明を実施するための形態】
【００２６】
本発明が中和して無害化する対象は、例えばＣＦＣ，ＨＣＦＣ，ＨＦＣ，ＰＦＣ，ＳＦ６等の有機ハロゲン化合物を過熱蒸気を使用して分解処理した際に発生する塩化水素（ＨＣｌ）やフッ化水素（ＨＦ）、ゴミ焼却炉から排出される塩化水素（ＨＣｌ），二酸化硫黄(ＳＯ２)等の各種酸性ガスであり、酸性ガスであれば、その種類や発生原因には特に限定はない。
【００２７】
以下図面に基づいて本発明にかかる酸性ガスの中和処理方法及びその装置の実施形態を説明する。図１は本発明の第１実施形態を概略的に示すシステム図であり、本発明を過熱蒸気を使用してフロンガス類を分解した際に発生する酸性ガスの中和に適用したものである。
【００２８】
図において１は被分解処理物としてのフロンガスであり、所定の被分解物タンクから供給される。２は加熱して過熱蒸気を得るための水であり、所定の水タンクから供給される。なお、水に代えて予め加熱した過熱蒸気を供給してもよい。３は空気であり、所定のエアコンプレッサから供給される。このフロンガス１，水２，空気３が配管４を介して適当な比率で混合されて予備加熱器５によって所定温度に加熱されて、反応器６に送り込まれる。反応器６はフロンガス１を過熱蒸気によって分解処理するための装置であり、加熱ヒータ７によって所定の温度に加熱されている。分解処理するために必要な過熱蒸気の温度はフロンガスの種類や量、更には空気の投入の有無によっても異なるが、概ね８５０℃〜９５０℃程度に制御することによって分解することができる。なお、空気３は、空気中の酸素によって酸化反応を促進するためのものであり、省略することもできる。
【００２９】
反応器６内を所定温度に加熱されたフロンガス１が過熱蒸気とともに一定時間保持されて通過することにより、過熱蒸気中のフロンガス１が分解処理され、塩化水素（ＨＣｌ）やフッ化水素（ＨＦ）を含む分解ガスとしての酸性ガスが発生する。この酸性ガスは９００℃〜１０００℃の温度を有しているため、配管８を介して次段の冷却ジャケット９に送り込んで、５００℃前後まで冷却する。この５００℃程度の酸性ガスが本願発明の中和対象であり、酸性ガス供給手段としての配管１０を介して中和塔１１に供給される。中和塔１１への酸性ガスの供給は連続的であっても間欠的であってもよい。
【００３０】
中和塔１１は、竪型に配置された円筒体であって、内部に中和剤１２が充填されている。中和剤１２は炭酸カルシウム（ＣａＣＯ３）又は酸化カルシウム（ＣａＯ）或いは炭酸カルシウムと酸化カルシウムの混合物からなり、直径１０ｍｍ〜３０ｍｍ程度の粒状に成形した状態で使用することが適当であるが、直径３０ｍｍを超える所定サイズの塊状であってもよい。要すれば、配管１０を介して供給された酸性ガスが中和塔１１に充填された中和剤１２に効率よく接触して、その間を通過できる形状であれば特に限定はない。そのため、粉体状であれば酸性ガスが中和剤１２の間を通過できず、又あまりに大きなブロック状であれば、酸性ガスとの接触が十分ではなく、不適当である。このように、本発明は中和剤１２として、飛散することがなく取り扱いが簡便、かつ、酸性ガスの補足率が高く、中和剤としての性能が高い炭酸カルシウム又は酸化カルシウム或いは炭酸カルシウムと酸化カルシウムの混合物を塊状、粒状にして使用することに特徴を有するものである。
【００３１】
中和剤１２は中和剤タンク１３に貯留されており、中和剤タンク１３の下部から取り出されて中和剤供給手段としてのスクリュー移送機１４によって搬送され、中和塔１１の上部から連続的又は間欠的に供給される。そして、使用済みの中和剤１２が中和塔１１の下部から取り出されて、中和剤排出手段としてのスクリュー移送機１５によって連続的又は間欠的に搬送され、中和残渣タンク１６に排出されて貯留される。
【００３２】
中和塔１１に供給された酸性ガスは中和塔１１内に充填された中和剤１２と接触することにより中和される。その中和メカニズムを塩化水素（ＨＣｌ）とフッ化水素（ＨＦ）を例として説明すると次のとおりである。
【００３３】
［中和剤１２として炭酸カルシウム（ＣａＣＯ３）を使用する場合］
ＣａＣＯ３＋２ＨＦ → ＣａＦ２＋Ｈ２Ｏ＋ＣＯ２
ＣａＣＯ３＋２ＨＣｌ → ＣａＣｌ２＋Ｈ２Ｏ＋ＣＯ２
【００３４】
［中和剤１２として酸化カルシウム（ＣａＯ）を使用する場合］
ＣａＯ＋２ＨＦ → ＣａＦ２＋Ｈ２Ｏ
ＣａＯ＋２ＨＣｌ → ＣａＣｌ２＋Ｈ２Ｏ
【００３５】
酸性ガスに塩化水素（ＨＣｌ）を含んでいる場合は、中和されることによって塩化カルシウム（ＣａＣｌ２）が生成される。塩化カルシウムは通常は固体であるが、７７０℃付近で溶解し液体となる。この液体となった塩化カルシウムが中和塔１１内において中和剤１２の周囲を被覆し、中和塔１１からの排出工程において冷却されて再び固体化して中和剤１２を結合させるため、中和塔１１の下部からクリュー移送機１５で排出することができなくなる。そこで、このような塩化カルシウムの液体化を防ぐため、中和塔１１内の温度を７００℃程度以上に昇温させることがないように、中和塔１１内に、所定のコンプレッサから供給された冷却空気１７を配管１８を介して、冷却効果の高い位置から連続的に或いは間欠的に適宜噴射し、中和塔１１内の温度を概ね４００℃〜５００℃となるようにする。
【００３６】
中和剤１２は酸性ガスと接触することによって、塩化カルシウムやフッ化カルシウムを生成し、これら生成物によって表面が被覆されるため、徐々に中和能力を失ってゆく。そこで、中和後の排ガスを排出する配管１９に酸濃度計（図示略）を装備して排ガスの酸濃度を常時監視し、中和剤１２の中和能力が低下する前に交換するようにする。中和剤１２の交換は、配管１０からの酸性ガスの供給を停止し、中和塔１１内の使用済みの中和剤１２をスクリュー移送機１５を使用して全て中和残渣タンク１６へ排出した後、新たな中和剤１２をスクリュー移送機１４を使用して中和剤タンク１３から中和塔１１に供給するバッチ式によって行うことができる。また、別タンクから中和塔１１上部に中和剤１２を投入しながら、下部から使用済みの中和剤１２を排出すれば、連続運転できる。
【００３７】
或いは配管１０からの酸性ガスの供給量や酸濃度を考慮して、スクリュー移送機１４及びスクリュー移送機１５の速度を同調させて、中和塔１１の上部からスクリュー移送機１４によって一定量の中和剤１２を連続的に供給しながら、中和塔１１の下部からスクリュー移送機１５によって同量の使用済みの中和剤１２を排出することにより、連続的に運転することができる。更に、中和塔１１にレベルセンサを設置し、レベルセンサの設定値によって、スクリュー移送機１４及びスクリュー移送機１５を駆動させることにより、連続的に運転することもできる。即ち、中和塔１１内には常に一定量の新たな中和剤１２が貯留された状態として運転することができる。
【００３８】
また、中和剤タンク１３、スクリュー移送機１４，１５、中和残渣タンク１６等の中和剤１２の供給・排出手段を装備することなく、中和剤１２の充填された中和塔１１をカートリッジとして構成し、使用済みの中和剤１２を中和塔１１毎交換して使用することもできる。なお、塩化カルシウムやフッ化カルシウムが生成された使用済みの中和剤１２は中和残渣タンク１６に貯留された後、残渣廃棄物タンク２８に移送されて産業廃棄物として廃棄処理するか、路盤材等として再利用する。
【００３９】
中和後の排ガスは中和塔１１の上部から配管１９を介して粉塵除去塔２０に供給され、粉塵除去塔２０の上部からシャワーリングされた水によって中和剤１２の粉塵が除去される。２１は粉塵除去塔２０内の水を循環させて上部からシャワーリングするためのポンプ、２２は冷却水を粉塵除去塔２０に循環させるための配管、２３は循環する水を冷却するための冷却ジャケットである。粉塵の除去された排ガスは粉塵除去塔２０の上部から配管２４を介して、ミスト除去塔２５に供給されてミストが除去された後、ブロワ２６に吸引されて配管２７から大気に開放される。このブロワ２６の吸引による圧力勾配によって酸性ガスは、反応器６から中和塔１１、粉塵除去塔２０及びミスト除去塔２５と移動する。
【００４０】
次に本発明の第２実施形態を図２に基づいて説明する。図１に示す第１実施形態と同一の構成については同一の符号を付して、その説明を省略する。図２は本発明の第２実施形態を概略的に示すシステム図であり、表面に中和生成物が生成された中和処理後の中和剤１２を中和塔１１から排出させた後に循環させ、循環途中において中和剤１２を相互に接触させて中和生成物を剥離することによって、その表面を露出させて中和剤１２として再生し、再び中和剤１２として中和塔１１内に供給するものである。
【００４１】
中和残渣タンク１６は配管３１によって中和剤タンク１３と連結されており、中和剤タンク１３は配管３２によってフィルタ３３と連結され、フィルタ３３は配管３４によって真空ポンプ３５と連結されている。よって、真空ポンプ３５を駆動すると、配管３４，フィルタ３３及び配管３２を介して中和剤タンク１３内の空気が吸引除去されて負圧となる。負圧となった中和剤タンク１３は配管３１によって中和残渣タンク１６と連結されているため、中和残渣タンク１６内の使用済みの中和剤１２が配管３１を通って中和剤タンク１３に吸引移動されて循環することとなる。なお、真空ポンプ３５に代えて、他の吸引ポンプを使用することもできる。
【００４２】
この吸引移動の途中において使用済みの中和剤１２は相互に衝接するため、使用済みの中和剤１２の表面に形成された塩化カルシウムやフッ化カルシウム中和生成物が剥離して除去され、中和剤１２の表面に再び炭酸カルシウムや酸化カルシウムが露出することとなり、中和剤１２として再生される。また、冷却空気１７の噴射による冷却時に使用済み中和剤１２の表面が急速に収縮することによっても中和生成物が剥離する。再生された中和剤１２は再び中和剤タンク１３からスクリュー移送機１４を介して中和塔１１内に順次供給される。一方、使用済みの中和剤１２から剥離した中和生成物は中和剤タンク１３から配管３２によってフィルタ３３に補足されるため、適宜フィルタ３３を交換することによって廃棄すればよい。このように第２実施形態によれば、中和剤１２を循環・再生することにより、繰り返して使用することができる。
【００４３】
そして、一定回数繰り返して使用することにより、中和剤１２が摩耗し、減少した場合は中和残渣タンク１６から使用済みの中和剤１２を残渣廃棄物タンク２８に移送させ産業廃棄物として廃棄処理するか、路盤材等として再利用する。なお、中和剤１２を中和残渣タンク１６から中和剤タンク１３に吸引するときはスクリュー移送機１４及び酸性ガスの供給を停止させておく。また、中和剤タンク１３からスクリュー移送機１４を介して中和剤１２を中和塔１１に供給している場合は、酸性ガスも中和塔１１に連続して供給することが可能である。
【実施例１】
【００４４】
反応器６内に、２．６ｍ３／ｈのフロンＣＦＣ−２２を、５．２ｍ３／ｈの過熱蒸気、７．８ｍ３／ｈの空気とともに供給して分解して、１９．４２ｍ３／ｈの酸性ガスを得た。酸性ガス１９．４２ｍ３／ｈ中のＨＣｌは２．５９ｍ３／ｈ、ＨＦは５．１８ｍ３／ｈであり、残部は過熱蒸気とＣＯ２と空気であった。この酸性ガスを、中和剤１２として粒径１０ｍｍの粒状の炭酸カルシウムを充填した中和塔１１に連続的に供給して通過させることにより、酸性ガスを中和させて、配管１９から排出される中和後の排ガスの酸濃度を測定した。使用した中和塔１１は直径３００ｍｍであり、その中に１５０Ｋｇの中和剤１２を１２０Ｋｇ／ｈの流量で連続的に供給した。よって、中和塔１１内の有効高さ８００ｍｍ程度の範囲に常時１２０Ｋｇの中和剤１２が充填され、残る３０Ｋｇは中和塔１１外で循環しつつ表面に形成された中和生成物を剥離して再生されている。なお、フロンＣＦＣ−２２の分解反応式は次の通りである。
ＣＨＣｌＦ２＋Ｈ２Ｏ＋０．５Ｏ２  →  ２ＨＦ＋ＨＣｌ＋ＣＯ２
【実施例２】
【００４５】
実施例１の酸性ガスを、中和剤として粒径１０ｍｍの粒状の酸化カルシウムを充填した中和塔１１に連続的に供給して通過させることにより、酸性ガスを中和させて、配管１９から排出される中和後の排ガスの酸濃度を測定した。
【実施例３】
【００４６】
反応器６内に、２．２ｍ３／ｈのフロンＣＦＣ−１３４ａを、４．４ｍ３／ｈの過熱蒸気、１９．８ｍ３／ｈの空気とともに供給して分解して、３１．８４ｍ３／ｈの酸性ガスを得た。酸性ガス３１．８４ｍ３／ｈ中のＨＣｌは０ｍ３／ｈ、ＨＦは８．７８ｍ３／ｈであり、残部は過熱蒸気とＣＯ２と空気であった。この酸性ガスを、中和剤として粒径１０ｍｍの粒状の炭酸カルシウムを充填した中和塔１１に連続的に供給して通過させることにより、酸性ガスを中和させて、配管１９から排出される中和後の排ガスの酸濃度を測定した。なお、フロンＣＦＣ−１３４ａの分解反応式は次の通りである。
Ｃ２Ｈ２Ｆ４＋Ｈ２Ｏ＋１．５Ｏ２  →  ４ＨＦ＋２ＣＯ２
【実施例４】
【００４７】
実施例３の酸性ガスを、中和剤として粒径１０ｍｍの粒状の酸化カルシウムを充填した中和塔１１に連続的に供給して通過させることにより、酸性ガスを中和させて、配管１９から排出される中和後の排ガスの酸濃度を測定した。
【実施例５】
【００４８】
反応器６内に、１．９ｍ３／ｈのフロンＣＦＣ−Ｒ１２を、７．４ｍ３／ｈの過熱蒸気とともに供給して分解して、１２．９６ｍ３／ｈの酸性ガスを得た。酸性ガス１２．９６ｍ３／ｈ中のＨＣｌは３．７ｍ３／ｈ、ＨＦは３．７ｍ３／ｈであり、残部は過熱蒸気とＣＯ２であった。この酸性ガスを、中和剤として粒径１０ｍｍの粒状の炭酸カルシウムを充填した中和塔１１に連続的に供給して通過させることにより、酸性ガスを中和させて、配管１９から排出される中和後の排ガスの酸濃度を測定した。なお、フロンＣＦＣ−Ｒ１２の分解反応式は次の通りである。
ＣＣｌ２Ｆ２＋２Ｈ２Ｏ  →  ２ＨＦ＋２ＦＣｌ＋ＣＯ２
【実施例６】
【００４９】
実施例５の酸性ガスを、中和剤として粒径１０ｍｍの粒状の酸化カルシウムを充填した中和塔１１に連続的に供給して通過させることにより、酸性ガスを中和させて、配管１９から排出される中和後の排ガスの酸濃度を測定した。
【００５０】
［比較例１〜３］
実施例１と同一の酸性ガスを、図３に示す第１の洗浄塔４３に供給し、水酸化カルシウムを１５重量％混合した混合溶液をシャワーリングして中和し、第１の洗浄塔４３から排出された中和後の排ガスの酸濃度を測定して比較例１とした。同様にして実施例３と同一の酸性ガスを中和した排ガスの酸濃度を測定したものを比較例２とし、実施例５と同一の酸性ガスを中和した排ガスの酸濃度を測定したものを比較例３とした。
【００５１】
［比較例４〜６］
実施例１の酸性ガスを直径２５０ｍｍ、高さ２０００ｍｍの円柱体に供給し、上部から水酸化カルシウムの粉体を１Ｋｇ／ｍｉｎの落下速度で散布して中和し、中和後の排ガスの酸濃度を測定して比較例４とした。同様にして実施例３と同一の酸性ガスを中和した排ガスの酸濃度を測定したものを比較例５とし、実施例５と同一の酸性ガスを中和した排ガスの酸濃度を測定したものを比較例６とした。上記した実施例１〜実施例６及び比較例１〜比較例６の中和後の排ガスの酸濃度等を表１に示す。
【００５２】
【表１】
2010179223.tif 000003
【００５３】
表１に示すように、炭酸カルシウムや酸化カルシウムからなる中和剤を使用した本発明は、ＨＣｌやＨＦを＜１ｐｐｍ以下の濃度に中和できている。これに対して、図３に示す従来の酸性ガスに水酸化カルシウムの混合溶液をシャワーリングした比較例１，２，３は、第１の洗浄塔でシャワーリングしたのみではＨＣｌやＨＦの酸濃度は５０〜１００ｐｐｍ或いは１００〜２００ｐｐｍであって中和がされておらず、水酸化カルシウムの混合溶液のシャワーリングを繰り返して行う必要がある。更に、水酸化カルシウムの粉体を酸性ガスに散布する比較例４，５，６では、ＨＣｌやＨＦの酸濃度は７８０ｐｐｍ以上あり、中和が不十分であることが判る。また、従来の水酸化カルシウムの混合溶液は、使用後に凝集剤を添加して凝集させ、その後に脱水して固液分離しても、脱水後の残渣も５０％程度の含水率があるため、処理量が多くなるのに対して、本発明では残渣量が少なく、その処理のための費用が少ないとともに、再利用も可能である。
【００５４】
さらに、本発明では中和剤１２として、所定の塊状又は直径１０ｍｍ〜３０ｍｍ程度の粒状とした水酸化カルシウムを使用することもできる。本発明が解決しようとする課題は、水酸化カルシウムの中和能力そのものを問題とするのではなく、専ら粉体の水酸化カルシウムを水と混合した従来の水酸化カルシウムの混合溶液からなる中和液の欠点を解消するものである。そのため、水酸化カルシウムを原料としても、所定の塊状又は直径１０ｍｍ〜３０ｍｍ程度の粒状とすれば、その欠点を解消できるため、本発明の中和剤１２として使用することも可能である。中和方法及びその装置も前記した第１実施形態と第２実施形態をそのまま使用することができ、実施例１〜６と同等の中和能力を有する。なお、ＨＣｌやＨＦに対する中和反応は次の通りであり、従来と同様である。
Ｃａ(ＯＨ)２＋２ＨＣｌ → ＣａＣｌ２＋２Ｈ２Ｏ
Ｃａ(ＯＨ)２＋２ＨＦ → ＣａＦ２＋２Ｈ２Ｏ
【００５５】
なお、所定の塊状又は直径１０ｍｍ〜３０ｍｍ程度の粒状とした水酸化カルシウムは粉体から造粒する必要があり、又水酸化カルシウムそのものが原料となる炭酸カルシウムや酸化カルシウムに比べて高価であるため、中和剤１２としては炭酸カルシウムや酸化カルシウムを原料とすることが、より実際的である。
【産業上の利用可能性】
【００５６】
本発明にかかる酸性ガスの中和処理方法及びその装置によれば、酸性ガスを炭酸カルシウムや酸化カルシウムからなる塊状、或いは粒状の中和剤を充填した中和塔内を通過させるだけでよいため、中和剤が飛散することがなく取り扱いが簡便、かつ、コンパクトにフロンガス類等のハロゲン化合物を分解処理した際に発生する酸性ガスやゴミ焼却炉から排出される酸性ガス等の各種酸性ガスを連続的に、或いはバッチ処理によって中和して無害化することができる。
【符号の説明】
【００５７】
１…フロンガス
２…水
３…空気
４，８，１０，１８，１９，２２，２４，２７，３１，３２，３４…配管
５…予備加熱器
６…反応器
７…加熱ヒータ
９，２３…冷却ジャケット
１１…中和塔
１２…中和剤
１３…中和剤タンク
１４，１５…スクリュー移送機
１６…中和残渣タンク
１７…冷却空気
２０…粉塵除去塔
２１…ポンプ
２５…ミスト除去塔
２６…ブロワ
３３…フィルタ
３５…真空ポンプ
【図１】
2010179223.tif 000004
【図２】
2010179223.tif 000005
【図３】
2010179223.tif 000006